(57)【要約】      （修正有）【課題】シートの切断が更に容易であるとともに、シートを切断しやすいように切断刃の形状を変更できるシート切断補助器具を提供する。【解決手段】ウェブ状に巻かれて収納ケース１２に収納されたラップフィルム（シート）１４を切断するために、収納ケース１２の蓋１６の開口端１８に沿った長手方向に延びる鋸刃形状を有する切断刃２０を補助するシート切断補助器具を、収納ケース１２の蓋１６及び切断刃２０の表面側に貼着することにより、切断刃２０よりも切断刃２０の短手方向に突出する状態に収納ケース１２に固定するように構成した。【選択図】図１
0003135645.tif 000002
【実用新案登録請求の範囲】
【請求項１】
収納ケースに収納されたシートを切断するために、該収納ケースの蓋の開口端に沿った長手方向に延びる切断刃を補助するシート切断補助器具であり、該切断刃よりも該切断刃の短手方向に突出する状態に該収納ケースに固定する固定部を備えたシート切断補助器具。
【請求項２】
前記突出する側に鋸刃を備える請求項１に記載するシート切断補助器具。
【請求項３】
前記収納ケースの切断刃が鋸刃形状を有し、該収納ケースに固定したとき、前記突出する側に備える鋸刃が該収納ケースの切断刃の鋸刃形状に連続する請求項２に記載するシート切断補助器具。
【請求項４】
前記固定部を前記収納ケースに貼着手段により固定する請求項１〜請求項３のいずれかに記載するシート切断補助器具。
【請求項５】
前記収納ケースの蓋の表面側に貼着することにより前記収納ケースに固定する請求項４に記載するシート切断補助器具。
【請求項６】
前記収納ケースに固定したとき、中間部が両端部よりも該切断刃の短手方向に突出する先鋭形状である請求項１〜請求項５のいずれかに記載するシート切断補助器具。
【請求項７】
前記切断刃に複数個固定する請求項１〜請求項６のいずれかに記載するシート切断補助器具。
【考案の詳細な説明】
【技術分野】
【０００１】
本考案は、収納ケースに収納されたシートを、該収納ケースの蓋の開口端に沿った長手方向に延びる切断刃によって切断するために、該切断刃を補助するシート切断補助器具に関する。
【背景技術】
【０００２】
従来から、食品を覆って保存することにより食品の鮮度を保持するラップフィルム（シート）が使用されている。このラップフィルムは、通常、ウェブ状に巻かれて、図１９に示すような収納ケース１に収納された状態で販売される。収納ケース１は、蓋２の開口端３に沿った長手方向に延びる切断刃４を備えており、ラップフィルム５の先端を開口端３の外へ引き出した状態でラップフィルム５を切断刃４により一定長さに切断できる。なお、収納ケースに関して、ラップフィルム５を切断しやすくする等の観点から、種々の案出がなされている（例えば、特許文献１参照）。
【０００３】
しかし、ラップフィルムの切断が更に容易な収納ケースが望まれている。また、従来の切断刃は、形状が一定であるため、ラップフィルムを切断しやすいように形状を変更することができなかった。
【０００４】
【特許文献１】特開昭６３−２７２６５６号公報
【考案の開示】
【考案が解決しようとする課題】
【０００５】
本発明は、シートの切断が更に容易であるとともに、シートを切断しやすいように切断刃の形状を変更できるシート切断補助器具を提供することを目的とする。
【課題を解決するための手段】
【０００６】
本考案のシート切断補助器具は、収納ケースに収納されたシートを切断するために、該収納ケースの蓋の開口端に沿った長手方向に延びる切断刃を補助するシート切断補助器具であり、該切断刃よりも該切断刃の短手方向に突出する状態に該収納ケースに固定する固定部を備えたことを特徴とする。
【０００７】
また、本考案のシート切断補助器具は、前記シート切断補助器具において、前記突出する側に鋸刃を備えることを特徴とする。
【０００８】
また、本考案のシート切断補助器具は、前記シート切断補助器具において、前記収納ケースの切断刃が鋸刃形状を有し、該収納ケースに固定したとき、前記突出する側に備える鋸刃が該収納ケースの切断刃の鋸刃形状に連続することを特徴とする。
【０００９】
また、本考案のシート切断補助器具は、前記シート切断補助器具において、前記固定部を前記収納ケースに貼着手段により固定することを特徴とする。
【００１０】
また、本考案のシート切断補助器具は、前記シート切断補助器具において、前記収納ケースの蓋の表面側に貼着することにより前記収納ケースに固定することを特徴とする。
【００１１】
また、本考案のシート切断補助器具は、前記シート切断補助器具において、前記収納ケースに固定したとき、中間部が両端部よりも該切断刃の短手方向に突出する先鋭形状であることを特徴とする。
【００１２】
また、本考案のシート切断補助器具は、前記シート切断補助器具において、前記切断刃に複数個固定することを特徴とする。
【考案の効果】
【００１３】
本考案のシート切断補助器具によれば、切断刃よりも切断刃の短手方向に突出する状態に収納ケースに固定することにより、シートを切断する際には、シート切断補助器具をシートに突刺して裂け目を形成した後に、切断刃により、この裂け目に連続した切断端を形成しながらシートを切断することができる。特に、鋸刃が収納ケースの切断刃の鋸刃形状に連続するシート切断補助器具によれば、この裂け目に連続した切断端を形成しながらシートを切断することをスムーズに行うことができ、綺麗な切断端を得ることができる。このため、シート切断補助器具による裂け目を契機として容易にシートを切断することができる。また、本考案のシート切断補助器具によれば、収納ケースに収納された市販のシートを購入して、その収納ケースに固定すれば、収納ケースに収納された市販のシートを切りやすくすることができる。
【００１４】
また、貼着することにより収納ケースに固定するシート切断補助器具によれば、粘着テープ等により容易に収納ケースに固定することができる。また、通常は紙から構成されている収納ケースの蓋の表面側に粘着テープ等で貼着すれば、より強固に固定できる。すなわち、通常は蓋の裏面側には金属製の切断刃が備えられているため、裏面側に貼着すれば貼着力が弱くなる一方で、通常は紙から構成されている蓋の表面側に粘着テープ等で貼着すれば強固に固定できる。
【考案を実施するための最良の形態】
【００１５】
以下、本考案のシート切断補助器具の実施形態について、図面に基づき説明する。図１において、符号１０は、本考案のシート切断補助器具を示す。シート切断補助器具１０は、ウェブ状に巻かれて収納ケース１２に収納されたラップフィルム（シート）１４を切断するために、収納ケース１２の蓋１６の開口端１８に沿った長手方向に延びる鋸刃形状を有する切断刃２０を補助するシート切断補助器具である。本考案のシート切断補助器具１０の特徴点は、収納ケース１２に後付けできることである。
【００１６】
シート切断補助器具１０は、シート切断補助器具１０を収納ケース１２に貼着するための固定部を裏側に備え、この固定部を収納ケース１２の蓋１６及び切断刃２０の表面側に貼着することにより、切断刃２０よりも切断刃２０の短手方向に突出する状態に収納ケース１２に固定するように構成され、突出する側に鋸刃１１を有している。固定部は、シート切断補助器具１０の裏面の平面部により構成され、その裏面の一部であっても全部であってもよい。この鋸刃１１は、切断刃２０の鋸刃形状に連続している。また、シート切断補助器具１０は、収納ケース１２に固定したとき、中間部が両端部よりも切断刃２０の短手方向に突出する先鋭形状に構成されている。なお、シート切断補助器具１０を収納ケース１２に貼着する貼着手段は、片面粘着テープ、両面粘着テープ又は接着剤等、特に限定されない。また、シート切断補助器具１０の材質は、樹脂、紙又は金属等、特に限定されない。
【００１７】
このような構成のシート切断補助器具１０の作用について以下に説明する。
【００１８】
まず、ラップフィルム１４が、収納ケース１２に収納された状態で購入され、包装が取り去られ切断刃カバーが切り取られることにより、切断刃２０が表れる。次に、シート切断補助器具１０に予め貼着されている粘着テープの台紙が剥がされ、又は、シート切断補助器具１０に両面粘着テープが貼着されて、シート切断補助器具１０が収納ケース１２の蓋１６及び切断刃２０の表面側に貼着される。
【００１９】
シート切断補助器具１０が収納ケース１２の蓋１６の表面側に貼着された状態で、ラップフィルム１４を所定長さＬだけ抜き出し、図２に示すように、ラップフィルム１４を上へ引き上げることにより、シート切断補助器具１０がラップフィルム１４の中間部に突き刺さる。続いて、シート切断補助器具１０及び切断刃２０によりラップフィルム１４の中間部から両側端へ向って切断されていく。ここで、シート切断補助器具１０が収納ケース１２の蓋１６及び切断刃２０の表面側に貼着されることにより、鋸刃１１が切断刃２０の鋸刃形状に連続することとなるため、シート切断補助器具１０による裂け目に連続した切断端を形成しながらシートを切断することをスムーズに行うことができ、綺麗な切断端を得ることができる。
【００２０】
このようなシート切断補助器具１０によれば、切断刃２０よりも切断刃２０の短手方向に突出する状態に収納ケース１２に固定することにより、ラップフィルム１４を切断する際には、シート切断補助器具１０をラップフィルム１４に突刺して裂け目を形成した後に、切断刃２０により、この裂け目に連続した切断端を形成しながらシートを切断することができる。このため、シート切断補助器具１０による裂け目を契機として容易にラップフィルム１４を切断することができる。また、シート切断補助器具１０によれば、収納ケース１２に収納された市販のラップフィルム１４を購入して、その収納ケース１２に固定すれば、収納ケース１２に収納された市販のラップフィルム１４を切りやすくすることができる。
【００２１】
以上、本考案の一実施形態について説明したが、本考案は上述の実施形態には限定されない。
【００２２】
例えば、図３に示すように、３枚のシート切断補助器具１０を、収納ケース１２の開口端１８の中間部及び両端部に貼着してもよい。このように貼着することにより、ラップフィルム１４の中間部及び両側端から綺麗に切断することができる。この場合、図４（ａ）に示すように、切取線３０を設けておき、図４（ｂ）に示すように、切取線３０から容易に切り取ることができるように構成することが好ましい。
【００２３】
また、切断刃２０の両端付近において、刃の磨耗等により切断し難い場合には、図５に示すように、切断刃２０の両端部にのみシート切断補助器具１０を固定してもよい。また、切断刃２０の全体において切断し難い場合には、図６に示すように、切断刃２０全体に渡って複数枚のシート切断補助器具１０を固定してもよい。
【００２４】
また、本考案のシート切断補助器具の形状及び寸法は特に限定されず、図７に示すようなシート切断補助器具４０であってもよい。このシート切断補助器具４０はシート切断補助器具１０よりも寸法が大きいとともに、指を添える目印４２が設けられている。このようなシート切断補助器具４０によれば、目印４２に指を沿えてラップフィルム１４を引上げることにより、開口端１８が弛むのを防止して、容易にラップフィルム１４を切断できる。
【００２５】
また、本考案のシート切断補助器具は、図８に示すシート切断補助器具５０であってもよい。このシート切断補助器具５０は、図８に示すように、切断刃２０全体に渡って２枚を固定しても、図９に示すように、中間部及び両端部に３枚を固定しても、図１０に示すように、両端部に２枚を固定してもよい。
【００２６】
また、本考案のシート切断補助器具は、図１１に示すように、湾曲形状から構成されることにより、切断刃２０よりも切断刃２０の短手方向に突出する状態に収納ケース１２に固定できるシート切断補助器具６０であってもよい。このシート切断補助器具６０は、図１１に示すように、切断刃２０の両端部に２枚を固定しても、図１２に示すように、中間部に１枚を固定してもよい。
【００２７】
なお、シート切断補助器具が切断刃２０よりも切断刃２０の短手方向に突出する突出長さＨを、切断しやすい長さに調節してもよい。例えば、図１３及び１４に示すシート切断補助器具７０の場合、切り裂きやすいラップフィルム１４の場合又は安全性を重要視する場合には、突出長さＨが小さくなるように図１３のように収納ケース１２に貼着し、切り裂きにくいラップフィルム１４の場合には、突出長さＨが大きくなるように図１４のように収納ケース１２に貼着してもよい。図１３のように貼着した場合には、図１５のように切断端が表れ、図１４のように貼着した場合には、図１６のように切断端が表れる。図１６の場合の方が図１５の場合よりも、切断端の中間部の凸部７２が大きく、次回使用するときに、切断端を見つけ出しやすい。このように、本考案のシート切断補助器具は収納ケースに適宜貼着して使用するものであるため、突出長さＨや凸部７２の大きさを自由に調節できる。
【００２８】
また、本考案のシート切断補助器具は、図１７に示すように、台紙８２に複数枚貼着されて販売されるシート切断補助器具８０であってもよい。このシート切断補助器具８０は、台紙８２から必要な数だけ剥がして、糊代８４を収納ケース１２に貼着して使用することができる。
【００２９】
また、本考案のシート切断補助器具は、中心部の一つの刃９０が他の刃９２よりも突出するとともに鋭利な図１８（ａ）に示すシート切断補助器具９４、又は中心部の二つの刃９６が他の刃９８よりも突出するとともに鋭利な図１８（ｂ）に示すシート切断補助器具１００であってもよい。これらシート切断補助器具９４又は１００によれば、ラップフィルム１４を切断する際に、最初の引っ掛かりをよくすることができる。また、他の刃９２又は９８が中心部に向って倒れるような形状となっており、これによっても切断する際の引っ掛かりをよくすることができる。
【００３０】
以上、本考案の実施形態について図面に基づいて説明したが、本考案は、その要旨を逸脱しない範囲で、当業者の創意と工夫により、適宜に改良、変更又は追加をしながら実施されるものである。例えば、本考案のシート切断補助器具を、クッキングシート、クッキングペーパー、クッキングホイル等の切断のために使用してもよい。また、本考案のシート切断補助器具を使用する収納シート及び切断刃の形態は特に限定されない。また、本考案のシート切断補助器具は、使い捨て方式のものであっても再利用方式のものであってもよい。
【産業上の利用可能性】
【００３１】
本考案のシート切断補助器具によれば、切断刃よりも切断刃の短手方向に突出する状態に収納ケースに固定することにより、容易にシートを切断することができる。このため、ラップフィルム又はクッキングシート等のシートの切断のために広く利用できる。
【図面の簡単な説明】
【００３２】
【図１】本考案に係るシート切断補助器具について、一の実施形態を示す正面図である。
【図２】図１のシート切断補助器具について、使用状態を示す側面断面図である。
【図３】本考案に係るシート切断補助器具について、他の実施形態を示す正面図である。
【図４】図３のシート切断補助器具について、、使用状態を説明するための図であり、同図（ａ）は一部を切り取る前の拡大正面図であり、同図（ｂ）は一部を切り取った後の拡大正面図である。
【図５】本考案に係るシート切断補助器具について、更に他の実施形態を示す正面図である。
【図６】本考案に係るシート切断補助器具について、更に他の実施形態を示す正面図である。
【図７】本考案に係るシート切断補助器具について、更に他の実施形態を示す正面図である。
【図８】本考案に係るシート切断補助器具について、更に他の実施形態を示す正面図である。
【図９】本考案に係るシート切断補助器具について、更に他の実施形態を示す正面図である。
【図１０】本考案に係るシート切断補助器具について、更に他の実施形態を示す正面図である。
【図１１】本考案に係るシート切断補助器具について、更に他の実施形態を示す正面図である。
【図１２】本考案に係るシート切断補助器具について、更に他の実施形態を示す正面図である。
【図１３】本考案に係るシート切断補助器具について、更に他の実施形態を示す正面図である。
【図１４】本考案に係るシート切断補助器具について、更に他の実施形態を示す正面図である。
【図１５】図１３のシート切断補助器具について、使用状態を説明するための正面図である。
【図１６】図１４のシート切断補助器具について、使用状態を説明するための正面図である。
【図１７】本考案に係るシート切断補助器具について、更に他の実施形態を示す平面図である。
【図１８】本考案に係るシート切断補助器具について、更に他の実施形態を示す正面図である。
【図１９】従来のラップフィルムを示す斜視図である。
【符号の説明】
【００３３】
１０、４０、５０、７０、８０、９４、１００：シート切断補助器具
１１：鋸刃
１２：収納ケース
１４：ラップフィルム（シート）
１６：蓋
１８：開口端
２０：切断刃
【図１】
0003135645.tif 000003
【図２】
0003135645.tif 000004
【図３】
0003135645.tif 000005
【図４】
0003135645.tif 000006
【図５】
0003135645.tif 000007
【図６】
0003135645.tif 000008
【図７】
0003135645.tif 000009
【図８】
0003135645.tif 000010
【図９】
0003135645.tif 000011
【図１０】
0003135645.tif 000012
【図１１】
0003135645.tif 000013
【図１２】
0003135645.tif 000014
【図１３】
0003135645.tif 000015
【図１４】
0003135645.tif 000016
【図１５】
0003135645.tif 000017
【図１６】
0003135645.tif 000018
【図１７】
0003135645.tif 000019
【図１８】
0003135645.tif 000020
【図１９】
0003135645.tif 000021
【手続補正書】
【提出日】平成19年7月5日(2007.7.5)
【手続補正１】
【補正対象書類名】実用新案登録請求の範囲
【補正対象項目名】全文
【補正方法】変更
【補正の内容】
【実用新案登録請求の範囲】
【請求項１】
収納ケースに収納されたシートを切断するために、該収納ケースの蓋の開口端に沿った長手方向に延びる切断刃を補助するシート切断補助器具であり、該切断刃よりも該切断刃の短手方向に突出する状態に該収納ケースに固定する固定部を備え、該突出する側に鋸刃を備えるシート切断補助器具。
【請求項２】
前記収納ケースの蓋の表面側に貼着することにより前記収納ケースに固定する請求項１に記載するシート切断補助器具。
【請求項３】
前記収納ケースに固定したとき、中間部が両端部よりも該切断刃の短手方向に突出する先鋭形状である請求項１又は請求項２のいずれかに記載するシート切断補助器具。